(57)【要約】  本発明は、光ディスク・ユーザのクレジットを判定する方法及び装置を備える。ユーザのクレジットを、ユーザによる光ディスクの第１の登録の情報の統計結果が、予め設定された値と一致するかの判断に基づいて判定して、ユーザに提供されることになるモードと、サービスのコンテンツとを判定する。本発明の方法及び装置は、単純かつ簡単であるので、光ディスク提供者に経済的便益をもたらす。【特許請求の範囲】
【請求項１】
光ディスクのユーザのクレジットを判定する方法であって、
(a)ユーザによる前記光ディスクの第１の登録の情報の統計を作成して統計結果を生成する工程と、
(b)該統計結果を、予め設定される値と比較する工程と、
(c)前記ユーザの前記クレジットを、比較による結果によって判定する工程とを備えることを特徴とする方法。
【請求項２】
請求項１記載の方法であって、ユーザによる前記光ディスクの前記第１の登録の前記情報が、
前記ユーザによって第１の登録が行われた光ディスクの量を備えることを特徴とする方法。
【請求項３】
請求項１記載の方法であって、ユーザによる前記光ディスクの前記第１の登録の前記情報が、
前記光ディスクの前記第１の登録に関して前記ユーザによって費やされた金額を備えることを特徴とする方法。
【請求項４】
請求項３記載の方法であって、前記金額が、前記光ディスクの購入に費やされるものであることを特徴とする方法。
【請求項５】
請求項３記載の方法であって、前記金額が、前記光ディスクのレンタルに費やされるものであることを特徴とする方法。
【請求項６】
請求項１記載の方法であって、ユーザによる前記光ディスクの前記第１の登録の前記情報が、
前記ユーザの前記クレジットの変換値を備えることを特徴とする方法。
【請求項７】
請求項１記載の方法であって、前記予め設定される値が、
光ディスクの量と、金額と、変換値とのうちの少なくとも１つを備えることを特徴とする方法。
【請求項８】
光ディスクのユーザのクレジットを判定する装置であって、
ユーザによる前記光ディスクの第１の登録の情報の統計を作成して統計結果を生成する統計装置と、
該統計結果を、予め設定される値と比較して、比較による結果を生成する比較装置と、
比較による前記結果によって前記ユーザの前記クレジットを判定する判定装置とを備えることを特徴とする、光ディスクのユーザのクレジットを判定する装置。
【請求項９】
サーバであって、
ユーザ端末によって送られる情報を受信するリンク装置と、
ユーザによる光ディスクの第１の登録の情報の統計を、該受信情報に入っているユーザによる前記第１の登録の前記情報に基づいて作成して統計結果を生成する統計装置と、
該統計結果を、予め設定された値と比較して、比較による結果を生成する比較装置と、
比較による前記結果によって前記ユーザの前記クレジットを判定する判定装置とを備えることを特徴とするサーバ。
【請求項１０】
請求項9記載のサーバであって、
ユーザの前記クレジットの情報を記録する記憶装置を更に備えることを特徴とするサーバ。
【請求項１１】
請求項9記載のサーバであって、
光ディスクの販売の情報を記録する記憶装置を更に備えることを特徴とするサーバ。
【請求項１２】
請求項9記載のサーバであって、
光ディスクのレンタルの情報を記録する記憶装置を更に備えることを特徴とするサーバ。
【発明の詳細な説明】
【技術分野】
【０００１】
本発明は、ユーザのクレジットに関し、特に、光ディスクのユーザのクレジットの判定に関する。
【背景技術】
【０００２】
ネットワーク技術の進展によって、ネットワーク光ディスクなどの多くのネットワーク製品がもたらされるのみならず、ネットワークを介してユーザのクレジットを判定することなどの課題に対する多くのネットワーク技術ソルーションも提供される。
【０００３】
多くの商業活動では、新規ユーザの開発よりも常時ユーザの維持のほうが重要である。ユーザが常時ユーザであるか否かの判定の基準は通常、ユーザとディーラーとの間のビジネス上の関係の親密度である一方、ビジネス上の関係の親密度はユーザのクレジットによって示すことができる、すなわち、ビジネス上の関係が親密であるほど、ユーザのクレジットは高くなり、逆も同様である。
【０００４】
ネットワーク光ディスクや他のネットワーク記憶媒体は、（主コンテンツとして以下に表す）通常のプログラム、（補助コンテンツとして以下に表す）特定の補助コンテンツ、及び特定のネットワーク・リンク情報等を記憶することができる。光ディスク上に記憶されたネットワーク・リンク情報によって、光ディスクが巨大な情報バンクになるのみならず、更なる情報を獲得するウィンドウにもなり、これが、ネットワーク光ディスクがユーザによって好まれている理由の１つになっている。
【０００５】
図１は、ネットワーク・ディスクとネットワーク・サーバとの間のリンクの略図である。ユーザは光ディスク１１０をネットワーク光ディスク・プレイヤ１２０に挿入し、ネットワーク光ディスク・プレイヤ１２０は光ディスク１１０上のリンク情報を読み取り、インターネット１３０を介してネットワーク・サーバ１４０とリンク情報を交換する。リンク情報には、プレイヤ１２０のプレイヤＩＤ、等がある。リンク情報を解析することによって、ネットワーク・サーバ１４０は、光ディスクのユーザを確認し、リンクの回数の累積等などの、ユーザのリンク記録を作成する。
【０００６】
光ディスク上の主コンテンツに関しては、ユーザは相当する料金を光ディスク取得の際に既に支払っているので制限なしで利用されるはずである。しかし、このことは、光ディスク上の補助コンテンツ及びネットワーク・リンク情報の場合にはあてはまらない。光ディスク・サービス提供者（例えば、光ディスクの売主や光ディスクの貸主等）は、相当する利用条件を設定することができる。例えば、ユーザは、クレジット要件を満たす場合、又は蓄積されたマークが十分である場合にのみ、そうしたコンテンツを利用することができる。さもなければ、ユーザは、そうしたものを利用することができなくなる。
【０００７】
光ディスク・サービス提供者によって通常設定される利用条件として、ユーザのクレジット、すなわち、ネットワーク・サーバへのユーザ・リンクの累積回数、又は同等の相当する累積マーク等がある。累積回数が多いほどクレジットは高くなる。ユーザのクレジットが光ディスク・サービス・プロバイダの要件を満たす場合、ユーザは更に多くかつ豊富なコンテンツを得ることができる。例えば、ユーザは、月に30回を超える回数、特定のネットワーク・サーバにリンクする場合、特定のウェブサイト上で主コンテンツ等の背景情報をブラウジングできることになる。さもなければ、光ディスク・サービス提供者は、主コンテンツ以外の他のコンテンツを何も提供しないことがあり得る。
【０００８】
しかし、上記判定方法に存在する課題は、同じ光ディスクによって多数回、ネットワーク・サ―バにリンクされる場合、ユーザは、非常に高いクレジットを有し、よって、更に優先的なサービスを享受することもあり得る。この方法は、ユーザがより多くの光ディスクの購入又はレンタルを行うことを奨励するものでなく、よって、光ディスク・サービス提供者にとっては商業的に無意味なものである。
【発明の開示】
【発明が解決しようとする課題】
【０００９】
したがって、商業的に有意義な、光ディスクのユーザを光ディスク・サービス提供者が認識することを可能にする、光ディスクのユーザのクレジットを判定する改良された方法及び装置を提供することに対する必要性が存在している。
【課題を解決するための手段】
【００１０】
本発明は、上記従来技術の課題を解決することができる、光ディスクのユーザのクレジットを判定する方法及び装置を備える。
【００１１】
本発明によって備えられる、光ディスクのユーザのクレジットを判定する方法は、ユーザによる光ディスクの第１の登録の情報の統計を作成して統計結果を生成する工程と、統計結果を、予め設定された値と比較する工程と、比較による結果によってユーザのクレジットを判定する工程とを備える。
【００１２】
本発明によって備えられる、光ディスクのユーザのクレジットを判定する装置は、光ディスクのユーザによる第１の登録の情報の統計を作成して統計結果を生成する統計装置と、予め設定された値と統計結果を比較して、比較による結果を生成する比較装置と、比較による結果に基づいてユーザのクレジット状態を判定する判定装置とを備える。
【００１３】
本発明によって備えられる、ユーザのクレジットを判定する方法及び装置は、ユーザの光ディスクの消費を奨励し、光ディスク・サービス提供者に対する経済的便益をもたらすことができる。
【発明を実施するための最良の形態】
【００１４】
本発明の他の目的及び効果、並びに全面的な理解は、添付図面とともに解釈される以下の記載及び本特許請求の範囲を参照することによって明白になり、得られるであろう。
【００１５】
本発明を、実施例に関して、添付図面を参照しながら説明する。
【００１６】
添付図面を通して、同様な参照数字は、同じ、類似した、若しくは相当する特徴又は機能を示す。
【実施例】
【００１７】
図２は、本発明による、ネットワーク・サーバにおける特定のデータベースの実施例の略図である。ネットワーク・サーバ（図１中では１４０）のデータベース２１０は、光ディスク販売/レンタル・データベース２２０と、光ディスク登録データベース２３０と、ユーザのクレジット状態及びユーザの他の情報を記録するユーザ・ファイル・データベース２４０とを有する。
【００１８】
データベース２２０は、光ディスクのＩＤと、販売若しくはレンタルの時点及び金額等をはじめとする、各光ディスクの販売情報又はレンタル情報を記録する。光ディスク・サービス提供者が光ディスクを提供した後、データベース２１０内の情報はタイムリーに更新されることになる。
【００１９】
データベース２３０は、光ディスクの各販売又は各レンタルの後に、第１の登録の時点及び登録の態様（例えば、光ディスク・プレイヤによる、又はユーザのパスワードによる、等）、第１の登録を行った光ディスクの累積情報、並びに、更に、第１の登録以外の、光ディスクの登録の情報をはじめとする、光ディスク・サービス提供者によって提供された光ディスクの各々が特定のネットワーク上に登録した情報を記録する。上記デ―タベースは、各回の光ディスクのネットワーク・サーバへのリンクの状態によって更新されることになる。データベース２２０及び２３０は、ユーザのクレジットを判定するためのデータ情報を備える。
【００２０】
図３は、本発明による、ネットワーク・サーバ１４０において用いるユーザのクレジットを判定する装置３００の実施例の構成図である。装置３００は、第１の登録を行った光ディスクの量、第１の登録に用いた光ディスクの金額や、ネットワークへのリンクの回数等などの、ユーザによる光ディスクの第１の登録の情報の統計を作成する統計装置３１０を備える。
【００２１】
装置３００は、統計装置３１０の統計結果と比較するための、予め設定された値が存在し、この予め設定された値をユーザのクレジットが超えたか否かを判定する比較装置３２０を更に備える。
【００２２】
装置３００は、装置３２０の比較結果によってユーザ・クレジットを更新する判定装置３３０も備える。ユーザのクレジットが相当する予め設定された値に達した場合、判定装置３３０は、ユーザのクレジット記録をユーザの新たなクレジットに更新し、ユーザのクレジットが相当する予め設定された値にまだ達していない場合、ユーザの現在のクレジットを維持する。
【００２３】
図４は、本発明による、ネットワーク・サーバにおいて用いる、ユーザのクレジットを判定する方法の実施例の流れ図である。まず、ネットワーク・サーバは、ネットワーク光ディスク・プレイヤのリンク情報を受信する（工程４１０）。リンク情報は、ディスクＩＤを有している、又は、プレイヤＩＤ、ユーザＩＤ、「クッキー」技術などの情報を有していることもあり得る。
【００２４】
リンク情報、並びにネットワーク・サーバのデータベース（図２に示すデータベース２２０及び２３０）内の記録に基づいて、ネットワーク・サーバは、光ディスクが、ネットワーク・サーバ内に登録記録を有するか否かを判定する（工程Ｓ４２０）。データベースが、現行の、販売又はレンタルされた光ディスクの登録記録情報を有する場合、その光ディスクは始めて登録されたものでなく、リンクは、光ディスクのユーザのクレジット判定に影響を及ぼすことになるものでないということが示される。
【００２５】
ネットワーク・サーバのデータベースの記録内に光ディスクの登録記録が何らない場合、ネットワーク・サーバは、光ディスクの最初の登録を行う（工程S430）。ネットワーク・サーバは、そのデータベース内に最初に登録される光ディスクのID情報、時点、リンク態様等を記録する。ネットワーク・サーバは、ユーザによる光ディスクの第１の登録の情報の統計を作成する（工程S４４０）。更に、統計コンテンツには、ユーザによって最初に登録された光ディスクの量、光ディスクにユーザが費やした金額、及び、光ディスク情報を最初に登録することによるユーザの（変換された累積マーク等などの）相当する変換値があり得る。
【００２６】
統計結果と、予め設定された基準とを比較して（工程S450）、ユーザのクレジットが、予め設定された基準に達したか否かを判定する。予め設定される基準には、光ディスクの量、金額、累積マーク、又は同様なものなどの予め設定される値があり得る。すなわち、光ディスクの量が１００であり、金額が１０００であり、累積マークが１００００に達しており、又は、同様である場合、ユーザは、クレジットを有するユーザである。それは、多くの値を備えるレベル系列も有し得る。例えば、光ディスクの量が20に達するか、金額が２００RMBに達する場合、ユーザは、第１のレベルのクレジットのユーザであり、光ディスクの量が40に達するか、金額が４００RMBに達する場合、ユーザは、第２のレベルのクレジットを有するユーザである、等である。予め設定される値は、第１の登録を行った光ディスクの量若しくは合計金額のより高い値又はより低い値であることもあり得るものであり、光ディスク・サービス提供者によってニーズに応じて特に判定し得る。
【００２７】
ネットワーク・サーバは、比較結果によってユーザのクレジット状態を判定する（工程S４６０）。ユーザが相当する、予め設定された基準を満たす場合、ユーザのクレジットは更新されることになる。予め設定される基準がレベル基準である場合、ユーザのクレジット・レベルが判定されることになる。
【００２８】
ユーザのクレジットを判定した後、光ディスク・サービス提供者は、ユーザのクレジットによって、種々の優先度のサービス・コンテンツ又はサービス・モードを提供することができる。
【００２９】
本発明によって備えられる方法及び装置は、ネットワーク光ディスクに限定されるものでなく、光ディスクIDをネットワーク・サーバに備えることができる場合、非ネットワーク光ディスクにも適用することができる。しかし、ネットワーク光ディスクは本発明の利点をよりよく反映することができるが、それは、光ディスク・サービス提供者が制御する、ネットワーク光ディスク上のコンテンツが多く、よって、ユーザの種々のクレジットによって別々のコンテンツ及びサービスを提供するうえで好都合であるからである。
【００３０】
本発明は特定の実施例に関して説明したが、多くの代替、修正及び変形が前述の記載に鑑みて当業者に明らかになるであろう。よって、本発明の特許請求の範囲記載の技術思想及び範囲内に収まるそうした代替、修正及び変形の全てを包含することが意図されている。
【図面の簡単な説明】
【００３１】
【図１】ネットワーク光ディスクからネットワーク・サーバへのリンクの略図である。
【図２】本発明による、ネットワーク・サーバにおける特定のデータベースの実施例の略図である。
【図３】本発明による、ユーザのクレジットを判定する装置の実施例の構成図である。
【図４】本発明による、ユーザのクレジットを判定する方法の実施例の流れ図である。
【図１】
2007512605.tif 000002
【図２】
2007512605.tif 000003
【図３】
2007512605.tif 000004
【図４】
2007512605.tif 000005